(57)【要約】【課題】上階の梁を下階の床面上で支持する束柱を形成するための捨型枠、該捨型枠を用いた束柱の形成方法、及び該形成方法を利用する建物の解体方法を提供すること。【解決手段】捨型枠１０は、筒状の型枠本体１１及び型枠本体１１の側面から分岐して型枠本体１１の軸方向に延びる筒状の補助型枠１２を備える。型枠本体１１を上階１の梁１ｃと下階２の床面２ａとの間に固定し、補助型枠１２の上端を上階１の床スラブ１ａの下面に固定して、上階１から床スラブ１ａの貫通孔１ｂ及び補助型枠１２を介して型枠本体１１にセメント系固結性流動物を注入することで、上階１の梁１ｃを支持する束柱を形成することができる。形成された束柱を用いて、上階から下階に向けて建物を解体することができる。【選択図】図１
2018178634.tif 000002
【特許請求の範囲】
【請求項１】
束柱を形成するための捨型枠であって、
筒状の型枠本体と、
前記型枠本体の側面から分岐して前記型枠本体の軸方向に延びる筒状の補助型枠と、
を備え、
前記補助型枠は、前記型枠本体より高い上端を有することを特徴とする、捨型枠。
【請求項２】
前記補助型枠は、前記型枠本体から前記型枠本体の径方向に延長する延長筒を有することを特徴とする、請求項１に記載の捨型枠。
【請求項３】
請求項１又は２に記載の捨型枠を用い、
前記型枠本体を上階の梁と下階の床面との間に固定することと、
前記補助型枠の上端を前記上階の床スラブの下面に固定することと、
前記上階の床スラブに貫通孔を設けることと、
前記貫通孔及び前記補助型枠を介して前記型枠本体にセメント系固結性流動物を注入することとを含むことを特徴とする、束柱の形成方法。
【請求項４】
請求項３に記載の束柱の形成方法により下階に上階の床面を支持する束柱を形成することと、
前記上階に解体重機を投入して前記上階を解体することと、
を含むことを特徴とする、建物の解体方法。
【発明の詳細な説明】
【技術分野】
【０００１】
本発明は、束柱を形成するための捨型枠、該捨型枠を用いた束柱の形成方法、及び該束柱の形成方法を利用する建物の解体方法に関する。
【背景技術】
【０００２】
複数階層の建物の未解体部の最上階に解体重機を投入し、上階から下階に向けて順次解体する建物の解体方法が広く行われている。ここで、解体重機が投入される階層の床面を解体重機の重量に耐えるように補強することが必要である。
【０００３】
特許文献１には、捨型枠を上階の床スラブの下面と下階の床面との間に固定し、上階の床スラブに貫通孔を設けてこれを介して上階から捨型枠内にセメント系固結性流動物を注入することで、下階の床面上に上階の床スラブを補強する束柱を形成する方法が開示されている。
【０００４】
ここで、上階を下階から補強するには、上階の床スラブを補強するよりも、床スラブを支持する梁を束柱で補強するのが望ましい。しかし、梁には貫通孔を設けることができないため、特許文献１に開示された方法では梁を束柱で補強することができない。
【先行技術文献】
【特許文献】
【０００５】
【特許文献１】特開２０１１−１９６０４２号公報
【発明の概要】
【発明が解決しようとする課題】
【０００６】
本発明は、上階の梁を下階の床面上で支持する束柱を形成するための捨型枠、該捨型枠を用いた束柱の形成方法、及び該形成方法を利用する建物の解体方法を提供することを課題とする。
【課題を解決するための手段】
【０００７】
本発明の捨型枠は、
束柱を形成するための捨型枠であって、
筒状の型枠本体と、
前記型枠本体の側面から分岐して前記型枠本体の軸方向に延びる筒状の補助型枠と、
を備え、
前記補助型枠は、前記型枠本体より高い上端を有することを特徴とする。
【０００８】
これによれば、型枠本体を上階の梁と下階の床面との間に固定し、補助型枠の上端を上階の梁の下面より高い位置にある上階の床スラブの下面に固定して、上階から補助型枠を介して型枠本体にセメント系固結性流動物を注入することで、上階の梁を支持する束柱を形成することができる。
【０００９】
本発明の捨型枠は、
前記補助型枠は、前記型枠本体から前記型枠本体の径方向に延長する延長筒を有することを特徴とする。
【００１０】
これによれば、延長筒により、上階の梁の幅に応じて、型枠本体から型枠本体の径方向に補助型枠を離間することができる。
【００１１】
本発明の束柱の形成方法は、
本発明の捨型枠を用い、
前記型枠本体を上階の梁と下階の床面との間に固定することと、
前記補助型枠の上端を前記上階の床スラブの下面に固定することと、
前記上階の床スラブに貫通孔を設けることと、
前記貫通孔及び前記補助型枠を介して前記型枠本体にセメント系固結性流動物を注入することとを含むことを特徴とする。
【００１２】
これによれば、上階の床スラブに設けた貫通孔からセメント系固結性流動物を注入することで、貫通孔及び補助型枠を介して型枠本体内にセメント系固結性流動物が流れ込んで、上階の梁を下階の床面上で支持する束柱を形成することができる。
【００１３】
本発明の建物の解体方法は、
本発明の束柱の形成方法により下階に上階の床面を支持する束柱を形成することと、
前記上階に解体重機を投入して前記上階を解体することと、
を含むことを特徴とする。
【００１４】
これによれば、上階の梁を支持する束柱を下階の床面上に形成して上階を支持し、上階に解体重機を投入して上階を解体することで、建物を上階から下階に向けて順次に解体することができる。
【発明の効果】
【００１５】
本発明の捨型枠及び束柱の形成方法によれば、上階の梁を下階の床面上で支持する束柱を形成することが可能となる。また、本発明の建物の解体方法によれば、解体重機を投入して建物を上階から下階に向けて順次解体することが可能となる。
【図面の簡単な説明】
【００１６】
【図１】図１は、捨型枠の構成を示す図である。
【図２】図２は、捨型枠の補助部材の構成を示す図である。
【図３】図３は、捨型枠を用いて束柱を形成する方法を説明するための図である。
【図４】図４は、捨型枠を用いて束柱を形成する方法を説明するための図である。
【発明を実施するための形態】
【００１７】
以下、本発明の実施例について説明する。
【００１８】
（捨型枠）
図１に、捨型枠１０の構成を、下階２の床面２ａ上に設置した状態で示す。捨型枠１０は、下階２の床面２ａ上で上階１の床スラブ１ａを支持する梁１ｃを補強する束柱を形成するための型枠であり、型枠本体１１及び補助型枠１２を備える。
【００１９】
型枠本体１１は、下階２の床面２ａ上で上階１の梁１ｃを補強する束柱を形成するための筒状部材である。型枠本体１１は、鋼板を筒状に曲げ、端部を接合することで例えば直径３５０ｍｍ（他の直径でもよい）の筒体を構成し、その筒体の内側から押圧して外向きに突出する輪体を軸方向に複数設けることで成形される。型枠本体１１の下端には、下階２の床面２ａに固定するための取り付け片（不図示）が外向きに張出形成されている。
【００２０】
型枠本体１１は、その上端に継手部１１ａを有する。継手部１１ａの側面には、例えば直径２００ｍｍ（他の直径でもよい）の円筒状の接続部１１ｂが設けられている。継手部１１ａの上端には、梁１ｃの下面に固定するための取り付け片（不図示）が外向きに張出形成されている。
【００２１】
補助型枠１２は、上階１から型枠本体１１に束柱を形成するセメント系固結性流動物を注入するための筒体である。補助型枠１２は、補助筒１２ａ、エルボ１２ｂ、及び延長筒１２ｃを有する。
【００２２】
補助筒１２ａは、型枠本体１１の軸方向に延びる例えば直径２００ｍｍ（他の直径でもよい）の筒体である。補助筒１２ａの上端には、上階１の床スラブ１ａの下面に固定するための取り付け片（不図示）が外向きに張出形成されている。
【００２３】
エルボ１２ｂは、補助筒１２ａを型枠本体１１の径方向に曲げて型枠本体１１に接続する補助筒１２ａと同径の曲筒体である。エルボ１２ｂの上端及び下端は、それぞれ、補助筒１２ａの下端及び継手部１１ａの接続部１１ｂ又は延長筒１２ｃの一端に接続される。
【００２４】
延長筒１２ｃは、補助筒１２ａを型枠本体１１の径方向に延長するエルボ１２ｂと同径の筒体である。延長筒１２ｃの一端及び他端は、それぞれエルボ１２ｂの下端及び継手部１１ａの接続部１１ｂに接続される。延長筒１２ｃは、上階１の梁１ｃの幅に応じて任意の長さを有してよく、それにより上階１の梁１ｃの幅に応じて型枠本体１１からその径方向に補助型枠１２を離間することができる。なお、延長筒１２ｃは、上階１の梁１ｃの幅小さい場合には必ずしも設けなくともよい。
【００２５】
上述の構成の補助型枠１２は、型枠本体１１より高い上端を有する。それにより、型枠本体１１を上階１の梁１ｃと下階２の床面２ａの間に固定するとともに、補助型枠１２を型枠本体１１の側面から分岐して型枠本体１１の軸方向に延ばして、上階１の梁１ｃの下面より高い位置にある上階１の床スラブ１ａの下面に固定することができる。
【００２６】
なお、図２に捨型枠の補助部材を示すように、補助型枠１２の補助筒１２ａを梁１ｃの側面に固定する１又は複数の固定部材２１をさらに設けてもよい。また、延長筒１２ｃを、下階２の床面２ａ上で支持する支持部材２２を設けてもよい。
【００２７】
捨型枠１０によれば、型枠本体１１を上階１の梁１ｃと下階２の床面２ａとの間に固定し、補助型枠１２の上端を上階１の床スラブ１ａの下面に固定して、上階１から補助型枠１２を介して型枠本体１１にセメント系固結性流動物を注入することで、上階１の梁１ｃを支持する束柱を形成することができる。
【００２８】
（束柱の形成方法）
捨型枠１０を用いた束柱の形成方法を説明する。
【００２９】
まず、図３に示すように、捨型枠１０の型枠本体１１を上階１の梁１ｃと下階２の床面２ａとの間に固定する。ここで、型枠本体１１の下端に設けられた取り付け片（不図示）を下階２の床面２ａに固定し、継手部１１ａの上端に設けられた取り付け片（不図示）を梁１ｃの下面に固定する。
【００３０】
次に、図４に示すように、補助筒１２ａ、エルボ１２ｂ、及び延長筒１２ｃを接続して補助型枠１２を構成し、その下端（すなわち、延長筒１２ｃの一端）を継手部１１ａの接続部１１ｂに嵌入して型枠本体１１に接続し、その上端を上階１の床スラブ１ａの下面に固定する。ここで、補助筒１２ａの上端に設けられた取り付け片（不図示）を、上階１の床スラブ１ａの下面に固定する。
【００３１】
次に、図１に示すように、上階１の床スラブ１ａに貫通孔１ｂを設けてこれを補助型枠１２に連通する。
【００３２】
最後に、貫通孔１ｂを介して補助型枠１２にセメント系固結性流動物を注入する。それにより、補助型枠１２から型枠本体１１内にセメント系固結性流動物が流れ込み、これが型枠本体１１内で固化することで、上階１の梁１ｃを下階２の床面２ａ上で支持する束柱が形成される。
【００３３】
（建物の解体方法）
捨型枠１０を用いた束柱の形成方法を利用する建物の解体方法を説明する。
【００３４】
まず、上述の束柱の形成方法により、最上階の直下の階層に、複数の束柱を下階２の床面２ａ上に形成して、最上階１の梁１ｃを支持する。形成する束柱の数は、解体重機の重量に耐えるものとする。
【００３５】
ここで、梁１ｃに限らず床スラブ１ａを支持する束柱（特許文献１に記載のものと同様）を合わせて設けてもよいが、梁１ｃを支持することで十分な強度となり不要であることが多い。
【００３６】
次に、最上階に解体重機を投入して、解体する。
【００３７】
次に、最上階の直下の階層の１つ下の階層に、上述と同様に複数の束柱を形成して、最上階の直下の階層の梁１ｃを支持する。
【００３８】
次に、解体重機を最上階の直下の階層に移動して、解体する。この際、形成された複数の束柱をも解体するものとする。
【００３９】
以下、階層を１つずつ下に移動しつつ、複数の束柱を形成して梁１ｃを支持することと、支持された梁１ｃの上の階層に解体重機を投入して解体することを繰り返し、建物を上階から下階に向けて順次解体する。
【００４０】
なお、複数の束柱を形成して梁１ｃを支持することは、必ずしも支持された梁１ｃの上の階層に解体重機を投入して解体する直前に行わなくともよい。例えば、最上階を除く全ての階層に複数の束柱を形成することを、最初に行ってもよい。
【産業上の利用可能性】
【００４１】
本発明の捨型枠及び束柱の形成方法によれば、上階の梁を下階の床面上で支持する束柱を形成することが可能となる。また、本発明の建物の解体方法によれば、解体重機を投入して建物を上階から下階に向けて順次解体することが可能となる。多くの建設業者による利用が考えられる。
【符号の説明】
【００４２】
１    上階
１ａ  床スラブ
１ｂ  貫通孔
１ｃ  梁
２    下階
２ａ  床面
１０    捨型枠
１１    型枠本体
１１ａ  継手部
１１ｂ  接続部
１２    補助型枠
１２ａ  補助筒
１２ｂ  エルボ
１２ｃ  延長筒
２１    固定部材
２２    支持部材
【図１】
2018178634.tif 000003
【図２】
2018178634.tif 000004
【図３】
2018178634.tif 000005
【図４】
2018178634.tif 000006